(57)【要約】【課題】入賞具とスルーチェッカの取り付け作業を容易にする。【解決手段】周辺役物構成部材３００は、スルーチェッカ１９の一部であり門形に形成され遊技球が通過可能であるとともにスルーチェッカ１９のセンサを遊技領域の手前側から覆い隠すゲート部３０１と、前記入賞具２１の一部であり前記遊技球が落入可能な落入口３２２を上方に設けた入賞部３０２とを一体成型で形成したので、ゲート部３０１と入賞部３０２を一緒にパチンコ遊技機本体に取り付けることが可能となり、入賞具とスルーチェッカの取り付け作業を容易にすることができ、製造コストを低減する等が可能になる。【選択図】図５
2007252628.tif 000002
【特許請求の範囲】
【請求項１】
遊技球が落下する遊技領域と、操作ハンドルの操作により駆動して遊技球を前記遊技領域の上側に打ち出す打球発射手段と、前記遊技領域で遊技球の通過をセンサにより検出するスルーチェッカと、ポケット形に形成され遊技球が入球する一般入賞具と、前記スルーチェッカによる遊技球の通過の検出を起因として左右のチューリップ羽根を開閉し、当該左右のチューリップ羽根により遊技球を拾って入球させる始動入賞具とを備え、前記打球発射手段から打ち出され前記遊技領域に導かれた遊技球が一般入賞具に入賞することで所定数の賞球を払い出し、前記遊技領域に導かれた遊技球が始動入賞具に入賞することで所定数の賞球を払い出すとともに大当たりの抽選を行うパチンコ遊技機であって、
前記スルーチェッカの一部であり門形に形成され遊技球が通過可能であるとともに前記センサを前記遊技領域の手前側から覆い隠すゲート部と、前記一般入賞具の一部であり前記遊技球が落入可能な入賞口を上方に設けた入賞部とを一体成型で形成したことを特徴とするパチンコ遊技機。
【発明の詳細な説明】
【技術分野】
【０００１】
本発明は、遊技領域で遊技球の通過をセンサにより検出するスルーチェッカを備えるパチンコ遊技機に関する。
【背景技術】
【０００２】
従来、パチンコ遊技機は、例えば特許文献１に示されているように、遊技球が図示しない球送り装置によって１球ずつ発射レール上に送り出され、送り出された遊技球が打球発射装置のハンマーに打ち出されて遊技盤の外レールに沿って遊技領域に導かれ、この遊技領域に導かれた遊技球が入賞具に入賞することで所定数の賞球を払い出すようになっている。
【０００３】
また、近年では、前記スルーチェッカと呼ばれる役物に遊技球が通過することを起因とし電動チューリップと呼ばれる入賞具の左右のチューリップ羽根を開閉させるパチンコ遊技機が普及している。このようなパチンコ遊技機のスルーチェッカは、遊技球の通過を検出するセンサと当該センサを前記遊技領域の手前側から覆い隠すゲート部とで構成されている。
【０００４】
【特許文献１】特開２００２−０２８３２９号公報
【発明の開示】
【発明が解決しようとする課題】
【０００５】
ところで、上述した従来のスルーチェッカのゲート部は、他の入賞具とは別に金型成型され、単独で遊技領域にネジ止め固定するようになっているので、この場合の作業に時間を要し、パチンコ遊技機の製造コストの高める要因になっていた。
【０００６】
本発明は、こうした従来の問題に鑑みてなされたものであり、入賞具とスルーチェッカの取り付け作業を容易にすることができるパチンコ遊技機を提供することを目的としている。
【課題を解決するための手段】
【０００７】
上述した課題を解決するため、請求項１に記載の発明は、遊技球が落下する遊技領域と、操作ハンドルの操作により駆動して遊技球を前記遊技領域の上側に打ち出す打球発射手段と、前記遊技領域で遊技球の通過をセンサにより検出するスルーチェッカと、ポケット形に形成され遊技球が入球する一般入賞具と、前記スルーチェッカによる遊技球の通過の検出を起因として左右のチューリップ羽根を開閉し、当該左右のチューリップ羽根により遊技球を拾って入球させる始動入賞具とを備え、前記打球発射手段から打ち出され前記遊技領域に導かれた遊技球が一般入賞具に入賞することで所定数の賞球を払い出し、前記遊技領域に導かれた遊技球が始動入賞具に入賞することで所定数の賞球を払い出すとともに大当たりの抽選を行うパチンコ遊技機であって、前記スルーチェッカの一部であり門形に形成され遊技球が通過可能であるとともに前記センサを前記遊技領域の手前側から覆い隠すゲート部と、前記一般入賞具の一部であり前記遊技球が落入可能な入賞口を上方に設けた入賞部とを一体成型で形成したことを特徴とする。
【０００８】
請求項１に記載のパチンコ遊技機によれば、スルーチェッカのゲート部と、入賞具の一部であり遊技球が落入可能な入賞口を上方に設けた入賞部とを一体成型で形成したので、ゲート部と入賞部を一緒にパチンコ遊技機本体に取り付けることが可能となり、入賞具とスルーチェッカの取り付け作業を容易にすることができる。
【発明の効果】
【０００９】
本発明のパチンコ遊技機によれば、入賞具とスルーチェッカの取り付け作業を容易にすることができ、製造コストを低減する等が可能になる。
【発明を実施するための最良の形態】
【００１０】
以下、本発明に係る遊技機の好適な一実施形態をパチンコ遊技機を例に図面を参照して説明する。尚、図１は、パチンコ遊技機１の表側側の外観構造を表した正面図、図２は、パチンコ遊技機１の裏面側の構造を表した図、図３は、遊技盤１１の正面図、図４は、遊技盤１１の斜視図、図５は、周辺役物構成部材３００を左寄りから見た斜視図、図６は、周辺役物構成部材３００を右寄りから見た斜視図である。
【００１１】
図１において、パチンコ遊技機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１２】
前枠３は、正面左側上下部に配設された開閉連結支持機構４ａ、４ｂを介して外枠２に開閉（片持ち横開き）可能に組付けるとともに、正面右側内部に配設された施錠装置５を利用して閉鎖状態に保持される。
【００１３】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持される。
【００１４】
上球皿７には、球払出口７ａから払い出された遊技球を貯留して整列させる球皿部７ｂが設けられるとともに、球皿部７ｂに貯留する遊技球を下球皿８に排出させる球抜きレバー７ｃが設けられている。球皿部７ｂの左下側には演出用の放音部７ｄが設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。操作ハンドル９ａには、遊技者の指により回動操作が行われる操作レバー９ｂが設けられている。
【００１６】
前枠３の裏側には、この前枠３と一体に方形枠状の収容枠１０（図２参照）が成形されている。
【００１７】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００１８】
遊技盤１１は、所定板厚の積層合板の表面にセルが貼り付けられた化粧板１４の前面側に、外周を突出して内側に略円周面を形成した外レール１６ａおよび帯状の内レール１６ｂ（これらを合わせて案内レール１５と称する）が固設され、この案内レール１５に囲まれた内側に遊技領域１２が区画されている。
【００１９】
遊技領域１２内には、多数本の遊技釘１７とともに、複数の風車１８、スルーチェッカ１９、一般入賞具２０、２１、始動入賞具２３、２４並びにアタッカー入賞具２５、２６などの入賞具、中央役物１００等が設けられている。
【００２０】
図１、図３及び図４に示すように、中央役物１００は、枠部材１０１と液晶表示装置２００を組み合わせたものである。
【００２１】
図３及び図４に示すように、スルーチェッカ１９は、遊技球が通過可能なゲート部３０１を有し、ゲート部を通過した遊技球を検出する通過球検出センサ（具体的には、遊技球の通過を磁気的、光学的または電気的手段等により検出するセンサ）１９ａが取り付けられている。
【００２２】
一般入賞具２０、２１は、遊技球が落入可能な入賞口を有し、ここに入賞した遊技球を検出する入賞球検出センサ（具体的には、遊技球の通過を磁気的、光学的または電気的手段等により検出するセンサ）２０ａ、２１ａが取り付けられている。
【００２３】
始動入賞具２３は、ポケット状に形成され、入賞した遊技球を検出する入賞球検出センサが取り付けられる。
【００２４】
始動入賞具２４は、いわゆる電動チューリップ構成の入賞具からなり、左右のチューリップ羽根２４ａ、２４ｂを開閉させることができる。この始動入賞具２４にも入賞した遊技球を検出する入賞球検出センサが取り付けられる。
【００２５】
アタッカー入賞具２５、２６は、中央に横長方形状の開口からなる大入賞口を有し、この大入賞口を開閉自在に覆って開閉扉２５ａ、２６ａが取り付けられている。開閉扉２５ａ、２６ａは通常閉止されており、遊技中において所定の遊技条件の下で特別遊技状態が成立したときに、開閉扉２５ａ、２６ａが前方にほぼ９０度倒されて大入賞口が開放される。このアタッカー入賞具２５、２６の大入賞口内にも入賞球検出センサが取り付けられる。
【００２６】
一般入賞具２０、２１、始動入賞具２３、２４及びアタッカー入賞具２５、２６の後側には化粧板１４を貫通するセーフ球通路孔（不図示）が設けられている。一般入賞具２０、２１、始動入賞具２３、２４及びアタッカー入賞具２５、２６に入賞したセーフ球はセーフ球通路孔を通って遊技盤１１の裏面側に排出される。
【００２７】
遊技領域１２の最下部には、入賞具２０、２１、２３、２４、２５、２６に入賞せずに落下したアウト球を集合して排出させるアウト口２７が設けられている。アウト口２７の後側には化粧板１４を貫通してアウト球通路孔が形成されており、アウト口２７に集められたアウト球がアウト球通路孔を通って遊技盤１１の裏面側に排出される。
【００２８】
次に、パチンコ遊技機１の裏面側の構造について詳細に説明する。
【００２９】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２８ａ、２８ｂ、２８ｃで固定保持されるようになっている。
【００３０】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成される。
【００３１】
また、前枠３の裏側下部には打球発射装置９が取り付けられ、前枠３における収容枠１０の下部に前枠３と一体に遊技補助盤２９が形成されている。なお、遊技補助盤２９の表側には打球発射装置９のハンマーと位置整合して遊技球を遊技盤の外レール１６ａ（図１参照）に向けて発射する発射レールや、放音部７ｄに向けて効果音を発生するスピーカ等が取り付けられている。また、遊技補助盤２９は、上球皿７の裏側に位置し、通常閉鎖状態に保持される上球皿７によりその表面側が覆われている。
【００３２】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されるようになっている。
【００３３】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成される。
【００３４】
整列樋部材３２は、タンク部材３１から供給された予備賞球を整列状に収容して下端の変向出口３４に送出し得るようになっている。
【００３５】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３６】
賞球払出機構４０は、裏セット盤５０の盤本体をなす開閉基枠体４１に、球貯留供給機構３０の変向出口３４に繋がる球切れ検出スイッチ４２、変向出口３４から送出される賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３７】
球切れ検出スイッチ４２は、賞球として払い出すに充分な予備賞球が整列待機通路部材４３に保持されているか否かを検出するためのものである。
【００３８】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００３９】
さらに、裏セット盤５０の各部には、このパチンコ遊技機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、液晶表示装置２００（図１参照）用の表示制御基板９６等が設けられている。
【００４０】
次に、パチンコ遊技機１におけるゲーム動作の概要を説明する。
【００４１】
パチンコ遊技機１は、上球皿７およびガラス扉６が閉止施錠された状態で遊技に供され、球皿部７ｂに遊技球を貯留させて操作ハンドル９ａの操作レバー９ｂを回動操作することにより遊技が開始される。操作ハンドル９ａの操作レバー９ｂが回動操作されると、球皿部７ｂに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。ここで、打球発射装置９が打ち出す遊技球の初速は、操作レバー９ｂが回動角により設定される。即ち、打球発射装置９が打ち出す遊技球の初速は、操作レバー９ｂの回動角が大きいほど早くなる。
【００４２】
遊技領域１２に導かれた遊技球が各入賞具２０、２１、２３、２４、２５、２６に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出される。また、遊技盤１１の前面側の液晶表示装置２００は、遊技盤１１の裏面側に取り付けられた表示制御基板９６により制御されて前述の遊技状況に応じた種々の表示がなされる。
【００４３】
一方、遊技領域１２に導かれた遊技球が入賞具２０、２１、２３、２４、２５、２６に入賞せずに落下すると、アウト球としてアウト口２７に集合し、アウト球通路孔を通って遊技盤１１の裏面側に排出される。
【００４４】
次に、中央役物１００及びその周辺部について詳細に説明する。
【００４５】
図３及び図４において、中央役物１００の枠部材１０１の上側中央の若干左よりには、角部１０２が設けられており、遊技領域１２は、この角部１０２から分岐して左打ち用の遊技領域２０１と右打ち用の遊技領域２０２に分けられている。
【００４６】
左打ち用の遊技領域２０１には、多数本の遊技釘１７とともに、複数の風車１８、複数の一般入賞具２０、始動入賞具２３並びにアタッカー入賞具２５が設けられている。
【００４７】
左打ち用の遊技領域２０１は、パチンコ遊技機１が通常モードの状態及び通常モードから当選した大当たりのラウンド消化において遊技球を導く領域であり、操作レバー９ｂの回動角が比較的小さく、打球発射装置９が打ち出す遊技球の初速が比較的低い状態で用いられる領域である。ここで、パチンコ遊技機１が通常モードの状態とは、大当たりの抽選確率が低確率で、始動入賞具２４のチューリップ羽根２４ａ、２４ｂが開閉しないかもしくは低い確率で開閉する状態（いわゆる電チューサポートがない状態）を示している。
【００４８】
右打ち用の遊技領域２０２には、多数本の遊技釘１７とともに、スルーチェッカ１９、一般入賞具２１、始動入賞具２４並びにアタッカー入賞具２６が設けられている。
【００４９】
右打ち用の遊技領域２０２には、時短モードの状態、確率変動モードの状態、時短モードまたは確率変動モードから当選した大当たりのラウンド消化において遊技球を導く領域であり、操作レバー９ｂの回動角が比較的大きく、打球発射装置９が打ち出す遊技球の初速が比較的高い状態で用いられる領域である。ここで、パチンコ遊技機１が時短モードの状態とは、通常大当たりのラウンド消化後に突入するモードであり、大当たりの抽選確率が低確率で、始動入賞具２４のチューリップ羽根２４ａ、２４ｂが高い確率で開閉する状態（いわゆる電チューサポートがある状態）を示している。
【００５０】
パチンコ遊技機１が確率変動モードの状態とは、確変大当たりのラウンド消化後に突入するモードであり、大当たりの抽選確率が高確率で、始動入賞具２４のチューリップ羽根２４ａ、２４ｂが高い確率で開閉する状態を示している。
【００５１】
一方、枠部材１０１の左側壁１１１には、左打ち用の遊技領域２０１を落下する遊技球が付近の遊技釘１７の誘導により比較的低い確率で突入するワープ穴１１２が設けられている。
【００５２】
枠部材１０１の下壁１１３の上面には、ワープ穴１１２を通過した遊技球が転がるステージ１１４が形成されている。ステージ１１４の中央には遊技球を始動入賞具２３に誘導する誘導穴１１５の入り口１１５ａ（図４参照）が設けられている。誘導穴１１５の出口１１５ｂは、始動入賞具２３の上方に位置する。
【００５３】
一方、右打ち用の遊技領域２０２に配置する枠部材１０１の右上側の外周面１１６は、外レール１６ａに近接しており、外周面と外レール１６ａに間に球路１１７が形成されている。球路１１７の出口から下方には、右打ち用の遊技領域２０２が形成されている。
【００５４】
次に、パチンコ遊技機１における左打ちの際のゲーム動作を説明する。
【００５５】
パチンコ遊技機１は、通常モードの場合、通常モードに対応した画像を液晶表示装置２００に表示する。この場合、遊技者は、操作レバー９ｂの回動角を比較的小さく調整し、打球発射装置９から初速が比較的低い遊技球を打ち出す。これにより、遊技球は、案内レール１５から比較的早い時期に離れ、角部１０２よりも左下側に落下して左打ち用の遊技領域２０１に導かれ、遊技釘１７や風車１８に衝突しながら、あるものは、ワープ穴１１２、ステージ１１４及び誘導穴１１５を通過し始動入賞具２３に落下し、また、あるものは、ワープ穴１１２を介さず直接下方に落下し、一般入賞具２０または始動入賞具２３に入賞し、また、あるものは、アウト球としてアウト口２７に集合し、アウト球通路孔を通って遊技盤１１の裏面側に排出される。
【００５６】
始動入賞具２３に遊技球が入賞した場合、主制御基板９１（図２参照）は、低確率（例えば全ての大当たりの合計で３９０分の１の確率）で確変大当たり及び通常大当たりの抽選を行い、確変大当たりと通常大当たりのいずれかに当選した場合、液晶表示装置２００に表示される絵柄６０１、６０２、６０３を揃え、規定ラウンド（例えば１５回）までアタッカー入賞具２５の開閉扉２５ａを長時間開放させる。ここで、開閉扉２５ａは比較的幅広に形成されており、遊技者が操作レバー９ｂの回動角を大まかに調整することで、アタッカー入賞具２５に遊技球を高確率で入賞させることが可能となり、遊技者は、大量の賞球、例えば１７００個の賞球を容易に獲得できる。
【００５７】
パチンコ遊技機１は、確変大当たりに当選した場合、前記大当たりの規定ラウンド終了後に確率変動モードに移行し、通常大当たりに当選した場合、前記大当たりの規定ラウンド終了後に時短モードに移行する。
【００５８】
パチンコ遊技機１は、確率変動モードまたは時短モードに移行した場合、液晶表示装置２００を用いて遊技者に対して右打ちを行う指示を行う。これにより、遊技者は、確率変動モードと時短モードのいずれの場合にも右打ちを行う。
【００５９】
次に、パチンコ遊技機１における右打ちの際のゲーム動作を説明する。
【００６０】
パチンコ遊技機１は、確率変動モードまたは時短モードの場合、そのモードに対応した画像を液晶表示装置２００に表示する。この場合、遊技者は、操作レバー９ｂの回動角を比較的大きく調整し、打球発射装置９から初速が比較的早い遊技球を打ち出す。これにより、遊技球は、案内レール１５に誘導された状態で角部１０２を超え、球路１１７を通り、右打ち用の遊技領域２０２に落下する。右打ち用の遊技領域２０２に落下する遊技球は、遊技釘１７に衝突しながら、あるものはスルーチェッカ１９を通過し、あるものは一般入賞具２１、始動入賞具２４に入賞し、また、あるものは右打ち用の遊技領域２０２を通過しアウト球としてアウト口２７に集合し、アウト球通路孔を通って遊技盤１１の裏面側に排出される。また、スルーチェッカ１９に遊技球が通過した場合、主制御基板９１（図２参照）は、始動入賞具２４のチューリップ羽根２４ａ、２４ｂを所定回数開閉させる。これにより、始動入賞具２４には高確率で遊技球が入賞し、賞球の払出を行うため、パチンコ機１において払い出される賞球の数は、打球発射装置９から打ち出される遊技球の数の１００％前後となり、遊技者は、手持ちの遊技球をほとんど減らすことなく大当たりの抽選を連続して実行できる。以下、このような状態を、電チューサポートがある状態として説明する。
【００６１】
確率変動モードにおいて、主制御基板９１（図２参照）は、電チューサポートがある状態で始動入賞具２４に遊技球が入賞する毎に高確率（例えば全ての大当たりの合計で３９分の１の確率）で確変大当たり及び通常大当たりの抽選を行い、確変大当たりと通常大当たりのいずれかに当選した場合、絵柄６０１、６０２、６０３を揃え、規定ラウンドまでアタッカー入賞具２５の開閉扉２５ａを長時間開放させる。ここで確率変動モードは、大当たりに当選するまで継続する。
【００６２】
時短モードにおいて、主制御基板９１（図２参照）は、電チューサポートがある状態で始動入賞具２４に遊技球が入賞する毎に低確率（例えば全ての大当たりの合計で３９０分の１の確率）で確変大当たり及び通常大当たりの抽選を行い、確変大当たりと通常大当たりのいずれかに当選した場合、絵柄６０１、６０２、６０３を揃え、規定ラウンドまでアタッカー入賞具２５の開閉扉２５ａを長時間開放させる。ここで主制御基板９１（図２参照）は、通常大当たりから時短モードに突入し、時短モードにおいて１００回の抽選までに大当たりに当選しなければ時短モードを終了し、通常モードに戻る。
【００６３】
以下、スルーチェッカ１９、一般入賞具２１及びその周辺部を詳細に説明する。
【００６４】
図５及び図６において、周辺役物構成部材３００（図３及び図４参照）は、プラスチックを素材とし金型で一体形成したものである。
【００６５】
スルーチェッカ１９のゲート部３０１及び一般入賞具２１の入賞部３０２は、周辺役物構成部材３００に一体形成で設けられており、周辺役物構成部材３００はネジにより化粧板１４（図３及び図４参照）の右周辺部にネジ止め固定されるようになっている。
【００６６】
周辺役物構成部材３００の右側は外レール１６ａ（図３及び図４参照）に合わせた曲線形状に形成されている。
【００６７】
周辺役物構成部材３００の左側の上寄りには、左側に延出する延出部３１１が形成されている。延出部３１１の表面には、ゲート部３０１が設けられている。
【００６８】
ゲート部３０１は、箱型に形成され、上面に遊技球の入り口３１２を有し、下面に遊技球の出口３１３を有している。ゲート部３０１の奥方には、通過球検出センサ１９ａ（図３及び図４参照）が裏側から挿入される開口３１４が形成されている。
【００６９】
延出部３１１の裏面には、通過球検出センサ１９ａ（図３及び図４参照）を取り付けるための突起部３１５が形成されている。
【００７０】
ゲート部３０１は、前記センサ通過球検出センサ１９ａ（図３及び図４参照）を前記遊技領域１２（図３及び図４参照）の手前側から覆い隠す。
【００７１】
周辺役物構成部材３００の左下側には、左側に延出する延出部３２１が形成されている。延出部３２１の表面には、一般入賞具２１のポケット形の形成された入賞部３０２が設けられている。
【００７２】
入賞部３０２は、上面に遊技球の落入口３２２を有している。入賞部３０２の奥方には、延出部３２１の裏側に遊技球を導くための開口３２３が形成されている。
【００７３】
延出部３２１の裏面には、開口３２３を通過した遊技球を誘導する樋形のレール部３２４が形成されている。レール部３２４の所定距離上側には、入賞球検出センサ２１ａ（図３及び図４参照）が配置される。
【００７４】
周辺役物構成部材３００の上端近傍には、ネジ止めの際にネジのネジ部が挿入される貫通孔３４１が形成されている。延出部３１１、３２１の左端近傍には、ネジ止めの際にネジのネジ部が挿入される貫通孔３４２、３４３がそれぞれ形成されている。周辺役物構成部材３００の下端近傍には、ネジ止めの際にネジのネジ部が挿入される貫通孔３４４が形成されている。
【００７５】
このような構造により、パチンコ遊技機１は、遊技球が落下する遊技領域１２と、操作ハンドルの操作により駆動して遊技球を前記遊技領域１２の上側に打ち出す打球発射手段としての打球発射装置９と、前記遊技領域１２で遊技球の通過をセンサ１９ａにより検出するスルーチェッカ１９と、ポケット形に形成され遊技球が入球する一般入賞具２１と、前記スルーチェッカ１９による遊技球の通過の検出を起因として左右のチューリップ羽根２４ａ、２４ｂを開閉し、当該左右のチューリップ羽根２４ａ、２４ｂにより遊技球を拾って入球させる始動入賞具２４とを備え、前記打球発射装置９から打ち出され前記遊技領域１２に導かれた遊技球が一般入賞具２１に入賞することで所定数の賞球を払い出し、前記遊技領域１２に導かれた遊技球が始動入賞具２４に入賞することで所定数の賞球を払い出すとともに大当たりの抽選を行う。
【００７６】
前記スルーチェッカ１９の一部であり門形に形成され遊技球が通過可能であるとともに前記センサ１９ａを前記遊技領域１２の手前側から覆い隠すゲート部３０１と、前記一般入賞具２１の一部であり前記遊技球が落入可能な入賞口としての落入口３２２を上方に設けた入賞部３０２とは、一体成型で形成している。
【００７７】
かかる構成のパチンコ遊技機１によれば、前記遊技球を前記センサ１９ａのゲート部３０１と、前記入賞具２１の一部であり前記遊技球が落入可能な落入口３２２を上方に設けた入賞部３０２とを一体成型で形成したので、ゲート部３０１と入賞部３０２を一緒にパチンコ遊技機本体に取り付けることが可能となり、入賞具とスルーチェッカの取り付け作業を容易にすることができ、製造コストを低減する等が可能になる。
【００７８】
尚、図１乃至図６に示した実施の形態では、本発明を右打ち用の遊技領域２０２にスルーチェッカ１９を設けたパチンコ機に適用したが、スルーチェッカ１９を左打ち用の遊技領域２０１に設けたパチンコ機に適用してもよい。
【産業上の利用可能性】
【００７９】
本発明は、スルーチェッカを右打ち用の遊技領域に設けたパチンコ遊技機に限らず、スルーチェッカを左打ち用の遊技領域に設けたパチンコ遊技機にも適用可能である。
【図面の簡単な説明】
【００８０】
【図１】図１は、本発明の一実施形態によるパチンコ遊技機の表側側の外観構造を表した正面図である。
【図２】図２は、本発明の一実施形態によるパチンコ遊技機の裏面側の構造を表した図である。
【図３】図３は、本発明の一実施形態による遊技盤の正面図である。
【図４】図４は、本発明の一実施形態による遊技盤の斜視図である。
【図５】図５は、本発明の一実施形態による周辺役物構成部材を左寄りから見たから見た斜視図である。
【図６】図６は、本発明の一実施形態による周辺役物構成部材を右寄りから見たから見た斜視図である。
【符号の説明】
【００８１】
１…パチンコ遊技機、２…外枠、３…前枠、
４ａ、４ｂ…開閉連結支持機構、５…施錠装置、６…ガラス扉、
７…上球皿、７ａ…球払出口、７ｂ…球皿部、７ｃ…レバー、
７ｄ…放音部、８…下球皿、８ａ…球皿部、８ｂ…球出口、
９…打球発射装置、９ａ…操作ハンドル、１０…収容枠、１１…遊技盤、
１２…遊技領域、１３…裏機構、１４…化粧板、１５…案内レール、
１６ａ…外レール、１６ｂ…内レール、１７…遊技釘、１８…風車、
１９…スルーチェッカ、２０、２１…一般入賞具、
２３、２４…始動入賞具、２４ａ、２４ｂ…チューリップ羽根、
２５、２６…アタッカー入賞具、２５ａ、２６ａ…開閉扉、
２７…アウト口、２８ａ、２８ｂ、２８ｃ…係合レバー、
２９…遊技補助盤、３０…球貯留供給機構、３１…タンク部材、
３２…整列樋部材、３３…ターミナル制御部、４０…賞球払出機構、
４１…開閉基枠体、４２…球切れ検出スイッチ、３４…変向出口、
４３…整列待機通路部材、４４…賞球カセット、
５０…裏セット盤、５１ａ、５１ｂ…ヒンジ、
５２ａ、５２ｂ、５２ｃ…閉止レバー、９１…主制御基板、
９２…賞球制御基板、９３…ランプ・音声制御基板、
９４…電源基板、９５…中継基板、９６…表示制御基板、
１００…中央役物、１０１…枠部材、１０２…角部、
１１１…左側壁、１１２…ワープ穴、１１３…下壁、
１１４…ステージ、１１５…誘導穴、１１５ａ…入り口、
１１５ｂ…出口、１１６…外周面、１１７…球路、
２００…液晶表示装置、２０１…遊技領域、２０２…遊技領域、
３００…周辺役物構成部材、３０１…ゲート部、３０２…入賞部、
３１１…延出部、３１２…入り口、３１３…出口、３１４…開口、
３１５…突起部、３２１…延出部、３２２…落入口、
３２３…開口、３２４…レール部、
３４１、３４２、３４３、３４４…貫通孔、
６０１、６０２、６０３…絵柄
【図１】
2007252628.tif 000003
【図２】
2007252628.tif 000004
【図３】
2007252628.tif 000005
【図４】
2007252628.tif 000006
【図５】
2007252628.tif 000007
【図６】
2007252628.tif 000008